(57)【要約】      （修正有）【課題】綴じられる写真や絵画を何度でも自由に追加及び削除することができ、さらに高級感のある外観を備えたアルバムを提供する。【解決手段】表表紙１と裏表紙２との間にシート状体を連綴してなるアルバムは、表表紙１を構成する表表紙部材と、裏表紙２を構成する裏表紙部材と、裏表紙部材及び表表紙部材の間に配設される背表紙部材３０と、表表紙部材及び裏表紙部材が開閉自在となるように背表紙部材３０に連結する表皮材と、表表紙１から裏表紙２までを厚み方向に貫通するように挿通されてシート状体を連綴する連綴部材５と、該連綴部材５が抜け落ちることを防止する抜け止め部材６とを備え、連綴部材５は、背表紙部材３０の内部に形成される凹溝内に配設され、抜け止め部材６は、背表紙部材３０の表表紙１側の表面及び裏表紙２側の表面に対してそれぞれ着脱可能に嵌着される。【選択図】図２
0003172199.tif 000002
【実用新案登録請求の範囲】
【請求項１】
表表紙と裏表紙との間にシート状体を連綴してなるアルバムであって、
前記表表紙を構成する表表紙部材と、
前記裏表紙を構成する裏表紙部材と、
該裏表紙部材及び前記表表紙部材の間に配設される背表紙部材と、
前記表表紙部材及び前記裏表紙部材が開閉自在となるように前記背表紙部材に連結する表皮材と、
前記表表紙から前記裏表紙までを厚み方向に貫通するように挿通されて前記シート状体を連綴する連綴部材と、
該連綴部材が前記表表紙及び前記裏表紙から抜け落ちることを防止する抜け止め部材と、
を備え、
前記連綴部材は、前記背表紙部材の内部に形成される凹溝内に配設され、
前記抜け止め部材は、前記背表紙部材の前記表表紙側の表面及び前記裏表紙側の表面に対してそれぞれ着脱可能に嵌着されることを特徴とするアルバム。
【請求項２】
前記抜け止め部材が嵌着される前記表表紙の表面及び前記裏表紙の表面には、前記抜け止め部材が嵌着される溝部が形成され、
前記抜け止め部材の上面と、該抜け止め部材が嵌着された前記表表紙の表面または前記裏表紙の表面は、互いに面一となるように配設されていることを特徴とする請求項１に記載のアルバム。
【請求項３】
前記溝部は、前記抜け止め部材を挿入するための可撓性を備えた開口部と、前記連綴部材が挿通された底面部とを有し、
前記開口部は、前記底面部と比較して幅狭に形成されていることを特徴とする請求項２に記載のアルバム。
【請求項４】
前記抜け止め部材は、断面視の状態で、一方の側面が凹状にくびれており、他方の側面が膨出するように形成されていることを特徴とする請求項１乃至３のいずれか一項に記載のアルバム。
【請求項５】
前記抜け止め部材は、前記表表紙の表面または前記裏表紙の表面と当接する面の一部に凹部が備えられていることを特徴とする請求項１乃至４のいずれか一項に記載のアルバム。
【請求項６】
前記連綴部材は、複数備えられることを特徴とする請求項１乃至５のいずれか一項に記載のアルバム。
【請求項７】
前記抜け止め部材は、前記複数の連綴部材上を覆うように配設されることを特徴とする請求項６に記載のアルバム。
【請求項８】
前記背表紙部材は、前記表表紙部材に連結される表板部と、前記裏表紙部材に連結される裏板部と、該裏板部及び前記表板部を連結する連結板部と、を有して断面コ字状に形成され、
前記連綴部材は、前記表板部から前記裏板部までを厚み方向に貫通して挿通され、
前記抜け止め部は、前記表板部及び前記裏板部に嵌着されることを特徴とする請求項１乃至７のいずれか一項に記載のアルバム。
【考案の詳細な説明】
【技術分野】
【０００１】
本考案は、アルバムに係り、特に、綴じられる写真や絵画を自由に追加及び削除することができると共に、高級感のある外観を備えたアルバムに関する。
【背景技術】
【０００２】
従来、写真や絵画等の整理及び保存のため、アルバム、バインダー式ファイル、クリアーファイル、箱等が用いられている。そして、これらアルバムやファイル等は様々な種類があり、目的に応じた外観や形式のものが適宜選択して用いられる。
【０００３】
例えば、特許文献１には、写真の整理を行うため、透明シートに写真を挟み込む形式の簡易写真帳を貼着する構成の写真帳保持具体が開示されている。この写真帳保持具体は、写真帳貼着板等を断面コ字状に形成された合成樹脂製の綴じ具（特許文献１には「縦長扁平状支持板体」と記載されている）に挟持させることにより、写真を綴じることができる。
しかし、このような貼着により写真を保持する形式のものは、粘着剤が経年劣化により変質して溶け出したり、変色してしまったりする虞がある。さらに、特許文献１に開示された写真帳保持具体は容易、且つ安価に製造できるものの、写真自体が透明シートに覆われた状態となるため、外観上の高級感や重厚感が十分でなく、特に、贈答用や記念品用としては適していない。
【０００４】
したがって、贈答用や記念品用としてのアルバム（写真集）を作成するためには、専門業者に依頼して製本することが一般的であり、その結果、アルバム作成において多額の費用がかかるという問題点があった。また、専門業者にアルバム制作を依頼するため、写真のデザインは専門業者によって選択されることが多く、写真のデザインにおける自由度が高くないという不都合があった。
【０００５】
上記問題点に対し、近年、個人で写真集を作成するための製本キットが提案されている。例えば、特許文献２で開示された製本キットは、厚紙等で形成される表紙部材の間に、写真等が印刷された本体用紙を挟み込み、本体用紙に開けられた孔にリベットを挿通させて背表紙の近傍で本体用紙を連綴する構成を備えている。
このような製本キットを利用することにより、綴じ込まれた写真等は、透明シートに覆われることなく、外観上の高級感を備えたアルバムを、個人で安価に作成することができる。
【先行技術文献】
【特許文献】
【０００６】
【特許文献１】特開平９−３１５０３２号公報
【特許文献２】特開２００３−１７０６７５号公報
【考案の概要】
【考案が解決しようとする課題】
【０００７】
特許文献２に開示されているような製本キットによれば、パソコンを用いて印刷した本体用紙を容易に硬表紙に綴じることができ、さらに、表紙部材と本体用紙との間には見返し部材が配設されるため、外観上の高級感を備えたアルバムが安価で作成できる。また、本体用紙には、パソコンを用いて自由に加工を施したデザインの写真を印刷可能であるため、デザインの自由度も向上する。
【０００８】
しかしながら、特許文献２に記載の製本キットでは、見返し部材を両面テープ等の粘着部材を用いて貼着することにより、本体用紙を連綴するリベットが、抜けることがないように係止されている。したがって、一度製本作業を行うと、本体用紙を追加したり、削除したりすることができず、綴じ込まれる写真の入れ替えを行うことができないという不都合があった。
【０００９】
また、見返し部材の貼着作業を行う場合、作成者の技術が未熟であると、良好な外観のアルバムが得られず、さらに、貼着部分がはがれてしまい、本体用紙が抜け落ちる虞があるという不都合がある。さらにまた、上述のように、貼着された部分は経年劣化しやすく、長期間の使用に耐えられない可能性があるという問題点があった。
【００１０】
本考案の目的は、綴じられる写真や絵画を何度でも自由に追加及び削除することができ、さらに高級感のある外観を備えたアルバムを提供することにある。また、本考案の他の目的は、貼着作業を行うことなく写真や絵画等を綴じ込むことにより、長期間保存可能なアルバムを提供することにある。
【課題を解決するための手段】
【００１１】
上記課題は、本考案のアルバムによれば、表表紙と裏表紙との間にシート状体を連綴してなるアルバムであって、前記表表紙を構成する表表紙部材と、前記裏表紙を構成する裏表紙部材と、該裏表紙部材及び前記表表紙部材の間に配設される背表紙部材と、前記表表紙部材及び前記裏表紙部材が開閉自在となるように前記背表紙部材に連結する表皮材と、前記表表紙から前記裏表紙までを厚み方向に貫通するように挿通されて前記シート状体を連綴する連綴部材と、該連綴部材が前記表表紙及び前記裏表紙から抜け落ちることを防止する抜け止め部材と、を備え、前記連綴部材は、前記背表紙部材の内部に形成される凹溝内に配設され、前記抜け止め部材は、前記背表紙部材の前記表表紙側の表面及び前記裏表紙側の表面に対してそれぞれ着脱可能に嵌着されること、により解決される。
【００１２】
このように、写真等のシート状体を綴じ込みできるアルバムにおいて、表表紙から裏表紙までを貫通する連綴部材を備えることにより、表表紙からシート状体に開けられた綴じ穴を介して裏表紙まで連綴部材を挿通させるだけで容易にシート状体を綴じ込むことができる。そして、連綴部材が表表紙及び裏表紙から抜け落ちることを防止する抜け止め部材を、表表紙の表面及び裏表紙の表面に嵌着させることにより、貼着作業を行うことなく、容易に製本作業を行うことができる。
そして、上記のように、本考案のアルバムは、連綴部材を挿通させた後、抜け止め部材を嵌着させるだけでよいので、貼着作業を必要としない。したがって、製本作業が容易となるだけでなく、一度シート状体を綴じ込んだ後であっても、抜け止め部材を取り外すことにより、アルバムに綴じ込まれるシート状体を再度入れ替えることができる。
また、シート状体を透明シート等に挟持させることなく、シート状体を露出した状態で綴じ込み可能であるため、高級感のある外観を備えたアルバムとすることができる。すなわち、上記構成のアルバムを用いて製本作業を行う際は、プリンタ等の機器で写真等を印刷したシート状体（紙等）に穴をあけるだけで、その他に特別な加工を施す必要がない。その結果、アルバムが本と非常に類似した外観とすることができ、高級感を備えたアルバムを作成することができる。
さらにまた、シート状体を挟む位置に配設される表表紙部材及び裏表紙部材は、背表紙部材に対して表皮材を介して連結されているため、表表紙部材及び裏表紙部材は背表紙部材に対して開閉自在に取り付けられる。そして、背表紙部材に設けられた凹溝内に連綴部材を配設することにより、連綴部材が目視されず、シート状体が本のように連綴されるため、高級感のある外観を備えたアルバムとすることができる。
さらに、連綴されるシート状体は、穴を開けることができる材料であれば様々な材料を使用可能である。したがって、手触りが重要となる材料（例えば、布等）を透明シート等で覆うのではなく、露出した状態で連綴可能となるため、布のサンプルを綴じる用途においても好適に用いられる。
【００１３】
また、前記抜け止め部材が嵌着される前記表表紙の表面及び前記裏表紙の表面には、前記抜け止め部材が嵌着される溝部が形成され、前記抜け止め部材の上面と、該抜け止め部材が嵌着された前記表表紙の表面または前記裏表紙の表面は、互いに面一となるように配設されていると好適である。
このように、表表紙の表面及び裏表紙の表面に、抜け止め部材を容易に嵌着させることができるような溝部が形成されていると、表表紙側に備えられた抜け止め部材の上面と表表紙の表面、及び裏表紙側に備えられた抜け止め部材の上面と裏表紙の表面とを面一とすることができる。したがって、アルバムの外観を損なうことなく、抜け止め部材を配設することができる。
また、抜け止め部材が表表紙及び裏表紙から突出することなく配設されるため、抜け止め部材が溝部内にあるとき、引っ掛かりにより抜け止め部材が脱離することを防止する。したがって、長期保存に耐えうるアルバムとすることができる。
【００１４】
また、前記溝部は、前記抜け止め部材を挿入するための可撓性を備えた開口部と、前記連綴部材が挿通された底面部とを有し、前記開口部は、前記底面部と比較して幅狭に形成されていると好ましい。
このように、抜け止め部材が嵌着される溝部の開口部が、底面部と比較して幅狭に形成されていることにより、表表紙及び裏表紙において、抜け止め部材をより強固に保持することができる。したがって、抜け止め部材が溝部内にあるとき、抜け止め部材が脱離しにくくなり、アルバムの長期保存が可能となる。
さらに、溝部の開口部が可撓性を備えているため、容易に抜け止め部材を挿入することができる。
【００１５】
さらに、前記抜け止め部材は、断面視の状態で、一方の側面が凹状にくびれており、他方の側面が膨出するように形成されていると好適である。
このように、抜け止め部材を断面視の状態で上記構成とすることにより、表表紙または裏表紙に対して抜け止め部材を挿入する際、抜け止め部材を回転させながら挿入することができる。より詳細には、くびれた側面を内側（中心軸）、膨出した側面を外側とするように回転させることにより、抜け止め部材を表表紙及び裏表紙に容易に挿入することができる。さらに、回転させながら抜け止め部材を挿入することにより、抜け止め部材には押圧する力を加えやすくなるため、確実に抜け止め部材を嵌着することができる。したがって、抜け止め部材が嵌着された時、抜け止め部材が脱離しにくくなり、アルバムの長期保存に適している。
【００１６】
また、前記抜け止め部材は、前記表表紙の表面または前記裏表紙の表面と当接する面の一部に凹部が備えられていると好ましい。
このように、抜け止め部材において、表表紙の表面または裏表紙の表面と当接する面の一部に凹部を備えることにより、抜け止め部材と、表表紙及び裏表紙の間に一部隙間が生じる。したがって、この隙間に適当な治具を差し込むことにより、抜け止め部材を表表紙及び裏表紙から容易に引き抜くことができる。したがって、アルバムに挟持されるシート状体を追加、削除する作業を容易に行うことが可能となる。
【００１７】
さらに、前記連綴部材は、複数備えられると好適である。
連綴部材を複数並べて備えることにより、シート状体をアルバムに対してより強固に挟持させることができる。したがって、より外観のよいアルバムとすることができる。
さらに、シート状体を強固に保持可能であるため、長期保存に適したアルバムとすることができる。
【００１８】
このとき、前記抜け止め部材は、前記複数の連綴部材上を覆うように配設されると好適である。
このように、複数の連綴部材を備えたアルバムにおいて、これらの複数の連綴部材を覆うように当接する抜け止め部材を備えることにより、抜け止め部材を取り付ける作業を簡素化することができる。すなわち、複数の連綴部材を一つの抜け止め部材によって押さえることができるため、抜け止め部材を複数備える必要がなく、部材数を削減することができる。
【００１９】
また、前記背表紙部材は、前記表表紙部材に連結される表板部と、前記裏表紙部材に連結される裏板部と、該裏板部及び前記表板部を連結する連結板部と、を有して断面コ字状に形成され、前記連綴部材は、前記表板部から前記裏板部までを厚み方向に貫通して挿通され、前記抜け止め部は、前記表板部及び前記裏板部に嵌着されると好適である。
このように、断面コ字状に形成された背表紙部材に対し、連綴部材が挿通される構成とするとよい。断面コ字状に形成された背表紙部材は、平面板状の部材と比較して剛性が高く、適当な剛性を備えているため、連綴部材を挿通させやすくなる。また、断面コ字状に形成されて適度な剛性を備えた背表紙部材に対して抜け止め部を嵌着する構成とすると、抜け止め部材を嵌着する際、抜け止め部材に力を加えやすくなり、容易に挿入することが可能となる。さらに、抜け止め部材を押圧する際、背表紙部材が適度な剛性を備えているため、背表紙部材において押圧力を受け止めることができる。したがって、表表紙部材や裏表紙部材に押圧力が加わることによって表表紙部材や裏表紙部材が折れ曲がり、破損するのを防止することができる。
さらに、背表紙部材においてシート状体３を挟持するため、外観を本の装丁のように仕上げることができるため、より高級感を増すことができる。
このように、背表紙部材に連綴部材や抜け止め部材を取り付けることにより、容易に製本作業を行うことができると共に、アルバムの破損を防止することができる。その結果、シート状体を何度でも自由に追加及び削除することができ、外観の良いアルバムとすることができる。
【考案の効果】
【００２０】
本考案のアルバムによれば、表表紙及び裏表紙に嵌着される抜け止め部材を何度でも脱着可能であるため、アルバムに綴じ込まれるシート状体（写真や絵画）を自由に追加及び削除することができる。したがって、アルバム作成の自由度をさらに向上させることができる。
また、アルバムに綴じ込まれるシート状体は、透明シートに覆われることなく、露出した状態で綴じ込まれるため、シート状体を本のように装丁することができ、外観的に高級感のあるアルバムを作成可能となる。
さらに、アルバムにシート状体を綴じ込む作業において、粘着剤による貼着作業を行う必要がないため、アルバム作成者の技術の熟練度を問わず、長期保存に耐えうるアルバムを容易に作成することが可能となる。
【図面の簡単な説明】
【００２１】
【図１】本考案の実施形態に係るアルバムの概略斜視図である。
【図２】本考案の実施形態に係るアルバムの展開図である。
【図３】図１のＡ−Ａ線に相当する断面図である。
【図４】本考案の実施形態に係るアルバムの抜け止め部材の取り付け方法を説明する説明図である。
【考案を実施するための形態】
【００２２】
以下に、本考案の製品ホルダについて説明する。なお、以下に説明する部材やその構成等は、本考案を限定するものではなく、本考案の趣旨に沿って各種改変することができることは勿論である。
【００２３】
はじめに、図１〜図４に基づき、本考案の実施形態のアルバム１００の構成について説明する。図１〜図４は本考案の実施形態に係り、図１はアルバムの概略斜視図、図２はアルバムの展開図、図３はＡ−Ａ線に相当する断面図、図４はアルバムの抜け止め部材の取り付け方法を説明する説明図である。
【００２４】
図１に示すように、本考案の実施形態のアルバム１００は、互いにほぼ同じ形、同じ大きさの表表紙１及び裏表紙２を備えており、表表紙１及び裏表紙２の間に複数のシート状体３が連綴された状態で挟持される。シート状体３としては、写真、絵画、版画等が印刷された紙、色紙等の厚紙の他、布、フィルム等が挙げられる。
表表紙１と裏表紙２は、図２に示すように、背表紙部材３０を介して互いに対向するように配設されており、その間にシート状体３が複数挟持される。なお、図２は、簡略化のため、シート状体３を省略して示している。また、背表紙部材３０の構成は、後に詳述する。
【００２５】
アルバム１００において、複数のシート状体３を連綴するための構成として、図２に示すように、複数の連綴部材５が表表紙１（詳細には、表表紙１の表面）から裏表紙２（詳細には、裏表紙２の表面）までを厚み方向に貫通するように挿通されている。より詳細には、連綴部材５は、表表紙１から、シート状体３を介して、裏表紙２までを挿通するように配設される。
【００２６】
このとき、複数のシート状体３には、それぞれ、所定の箇所（連綴部材５が挿通される箇所）に孔が設けられており、この孔に連綴部材５が通るようにして、表表紙１から裏表紙２まで連綴部材５が挿通される。また、連綴部材５は、表表紙１の表面に備えられた溝部４の内部に挿通される。なお、表表紙１と同じく、裏表紙２の表面においても溝部が備えられているが、表表紙１側の溝部４と裏表紙２側の溝部とは略同様の構成であるため、以下では、表表紙１側に形成された溝部４についてのみ説明する。
【００２７】
連綴部材５は、円柱状の小片であり、その直径は、溝部４の内部に形成された挿通孔４ａに嵌合する大きさで形成されている。なお、挿通孔４ａに嵌合可能であれば、連綴部材５の形状はこれに限定されず、四角柱状等の形状であってもよい。連綴部材５の高さ（長さ）は、アルバム１００の厚み（詳細には、表表紙１の表面から裏表紙２までの表面までの距離）と略等しくなるように形成される。なお、本実施形態においては、連綴部材５は７個備えられているが、アルバム１００に挟持されるシート状体３の大きさや材質に依存して、７個以外の数としてもよいのは勿論である。このとき、連綴部材５を単数とすると、連綴作業が簡素化されるが、連綴部材５を複数設けることにより、アルバム１００内においてシート状体３を強固に保持させることができる。
【００２８】
そして、複数の連綴部材５を表表紙１から裏表紙２まで挿通した後、連綴部材５の上面５ａを覆うようにして、溝部４に抜け止め部材６が嵌着される。
抜け止め部材６は、背表紙部材３０の延在方向に沿って配設される長尺部材であり、比較的強度の高い木材（例えば、黒檀、紫檀、柿、クリ、ツゲ、樫等の高強度木材）によって形成されている。このように、抜け止め部材６が高強度木材によって形成されているため、特にアルバム１００を長期保存したい場合に適している。抜け止め部材６は、後で詳述するように、断面視の状態において、一方の側面６ｃは凹状（より詳細には、略円弧状）にくびれており、他方の側面６ｄは膨出するように形成された棒状部材である（図３参照）。
【００２９】
複数の連綴部材５が、溝部４に形成された挿通孔４ａから抜け落ちることを防止するため、抜け止め部材６の長さは、表表紙１の上端から下端までの長さと略同じ長さで形成されている。このように、抜け止め部材６を長尺部材として形成することにより、複数の連綴部材５上を覆うように抜け止め部材６が配設されるため、一本の抜け止め部材６により、複数の連綴部材５に対し、一括で抜け止め効果を与えることができる。
【００３０】
なお、抜け止め部材６の長手方向の両端は、背表紙部材３０に備えられた保護板３３に当接するように配設される。この保護板３３は、背表紙部材３０の内部に配設される連綴部材５や、後述の背表紙本体３１を保護するために、背表紙部材３０の長手方向の両端に備えられる板材である。そして、保護板３３によって抜け止め部材６もまた、溝部４から脱離しにくくなるように保護される。
【００３１】
さらに、この保護板３３を備えることにより、シート状体３を連綴した後は、連綴部材５がアルバム１００の外側から目視されなくなるため、一般的な本と非常に類似したアルバム１００を作成することができる。
【００３２】
また、長尺部材として形成された抜け止め部材６の長手方向の一端には、表表紙１と当接する面（縁辺）において、一部を切り欠くように凹部６ｂが形成されている。この凹部６ｂは、抜け止め部材６を溝部４に嵌着した後、抜け止め部材６を表表紙１から取り外す場合に利用される。すなわち、この凹部６ｂに細い棒状の治具を差し込むことにより、てこの原理を利用して、抜け止め部材６の一端を上方へ持ち上げることができる。そして、持ち上げられた一端を起点として、抜け止め部材６の他端側（すなわち、凹部６ｂが備えられていない側）までを容易に持ち上げ、抜け止め部材６を取り外すことができる。
【００３３】
したがって、抜け止め部材６の着脱が容易となり、アルバム１００にシート状体３を挟持させて抜け止め部材６を嵌着し、装丁作業が完了した後であっても、シート状体３の追加や削除を容易に行うことができる。
【００３４】
抜け止め部材６を表表紙１に嵌着するにあたり、抜け止め部材６の高さが、溝部４の深さと略同じに形成されているため、抜け止め部材６の上面６ａと表表紙１の表面とは面一となるように配設される（図３参照）。このように、表表紙１の表面から抜け止め部材６が突出することがないため、抜け止め部材６が引っかかるなどしてアルバム１００から脱離することを防止することができる。
したがって、上記構成により抜け止め部材６が脱落しにくくなるため、アルバム１００を長期保存するような場合に、特に好適である。
【００３５】
上記で説明した溝部４は、具体的には、表表紙１及び裏表紙２を連結する背表紙部材３０に設けられる。以下、図３及び図４を参照して、溝部４、連綴部材５、抜け止め部材６等の構成についてさらに詳しく説明する。
【００３６】
アルバム１００は、図３に示すように、表表紙１を構成する表表紙部材１０と、裏表紙２を構成する裏表紙部材２０と、表表紙部材１０及び裏表紙部材２０を連結するように配設される背表紙部材３０を備えている。なお、上述した表表紙１は、板材からなる表表紙部材１０と、表皮材１２と、背表紙部材３０の上面側（すなわち、後述する表板部３１ａ及び表板部３１ａ上に張られた表皮材３２）により構成される。また、上述した裏表紙２は、裏表紙部材２０と、表皮材２２と、背表紙部材３０の下面側（すなわち、後述する裏板部３１ｃ及び裏板部３１ｃ上に張られた表皮材３２）により構成される。
【００３７】
表表紙部材１０は、板材により形成されている。また、裏表紙部材２０も同じく、板材により形成されている。なお、表表紙１と裏表紙２の構成は略同様であるため、以下では、表表紙１の構成についてのみ説明する。
【００３８】
表表紙１を主として構成する表表紙部材１０は、矩形の板材であり、厚紙等によって形成されている。この表表紙部材１０は、アルバム１００の内側に収納されるシート状体３を保護するために備えられる。したがって、表表紙部材１０は、適当な厚さの板材で構成され、適度な強度を備えていると好ましい。なお、本実施形態では平面視の状態で矩形状のアルバム１００を図示しているが、表表紙部材１０の形を変更し、その他の形状としてもよいのは勿論である。
【００３９】
表表紙部材１０を覆うように配設される表皮材１２は、平面視の状態で、表表紙部材１０よりも若干大きく形成されている。そして、図３に示すように、表表紙部材１０の表面に沿って表表紙部材１０を覆うように貼着された表皮材１２のうち、一部、表表紙部材１０よりも大きく形成された部分は、背表紙部材３０に貼着されている。
このように、背表紙部材３０に対し、表表紙部材１０を覆うように配設された表皮材１２の一部（表皮材１２において、表表紙部材１０よりも若干幅広に形成された部分）が貼着されることにより、表表紙部材１０と背表紙部材３０とが連結されている。
【００４０】
上記構成において、表表紙部材１０と、背表紙部材３０とは、わずかに離間した状態で表皮材１２が架け渡される。その結果、表皮材１２がヒンジの役割を果たし、表表紙部材１０は、背表紙部材３０に対して自由に開閉動作することができる。
【００４１】
上記説明では、アルバム１００の表面側（外側）に表皮材１２を備えた構成を説明したが、アルバム１００の内側、特に背表紙部材３０と表表紙部材１０との連結部分には、この連結部分を補強するための補強布３４がさらに備えられている。
【００４２】
補強布３４は、図３に示すように、表表紙部材１０の端部から、背表紙部材３０の凹溝３０ａの内部、さらには裏表紙部材２０の端部にまで一連で貼着されることにより配設される。補強布３４を備えることにより、表表紙部材１０と背表紙部材３０の間には、表皮材１２だけでなく、補強布３４が配設される。また、裏表紙部材２０と背表紙部材３０の間には表皮材２２だけでなく、補強布３４が配設される。
【００４３】
このように、表皮材１２，２２が補強布３４によって補強されることにより、表表紙部材１０、裏表紙部材２０の開閉動作が行われても、表皮材１２，２２にのみ力が加わることが抑制されるため、表皮材１２，２２の損傷を防止することができる。
【００４４】
なお、補強布３４は、背表紙部材３０の長手方向の長さに対して略同じ長さ（幅）で設けられているとよい。補強布３４を局所的に形成するのではなく、背表紙部材３０の長手方向をすべて覆うように一連で形成することにより、補強布３４による補強強度が向上する。
【００４５】
表表紙部材１０に連結される表皮材１２は、表表紙部材１０から、背表紙部材３０に架け渡されるように固定されているが、背表紙部材３０上に配設される表皮材１２の端部は、溝部４の内部まで入り込むようにして固定されている。
【００４６】
表皮材１２の材料としては可撓性材料が用いられ、紙、天然皮、人工皮、樹脂シート等を用いることができる。樹脂シートの材料としては、低密度ポリエチレン（ＬＤＰＥ）や高密度ポリエチレン（ＨＤＰＥ）などのポリエチレン（ＰＥ）、ポリプロピレン（ＰＰ）、ポリエステル（ＰＥＴＰ）、ポリウレタン（ＰＵ）、エチルビニル酢酸エステル（ＥＶＡ）、ポリ塩化ビニル（ＰＶＣ）などが挙げられる。
【００４７】
このように、表皮材１２が可撓性材料により形成されることにより、背表紙部材３０に対して表表紙部材１０が開閉自在となるだけでなく、後述のように、抜け止め部材６を溝部４に対して容易に着脱可能とすることができる。
【００４８】
さらに、後で詳述する背表紙部材３０もまた、上記材料からなる表皮材３２により覆われ、表皮材３２の一部は、溝部４の開口部４ｂを覆うように配設されている。したがって、上記のように、可撓性材料により形成される表皮材１２もまた、溝部４の開口部４ｂの部分で折り曲げられて覆うように配設されているため、溝部４の開口部４ｂは可撓性を備えている。
したがって、抜け止め部材６を溝部４に嵌着する際、表皮材１２，３２の可撓性により、容易に抜け止め部材６をはめ込むことができる。
【００４９】
また、表皮材１２，３２は、溝部４の内部で連続して配設されるのではなく、表皮材１２，３２として互いに切り離されて独立に配設される。このように、表皮材１２，３２をそれぞれ独立して設けることにより、溝部４の開口部４ｂの部分を覆う表皮材１２，３２を、弛むことなく配設することができる。
そして、溝部４内で表表紙部材１０側、背表紙部材３０側にそれぞれ配設される表皮材１２，３２の端部を溝部４の開口部４ｂでそれぞれ折り曲げて配設することにより、開口部４ｂが表皮材１２，３２によって覆われ、開口部４ｂに可撓性を付与することができる。
【００５０】
溝部４が形成された背表紙部材３０は、アルバム１００の背表紙を構成する部材である。背表紙部材３０は、アルバム１００の縦方向に沿って配設される長尺部材である背表紙本体３１と、背表紙本体３１を覆う表皮材３２とを備えている。
【００５１】
背表紙本体３１は、図３に示すように、断面視において略コ字状に形成されており、表表紙１側に備えられて表表紙部材１０と連結される表板部３１ａと、裏表紙２側に備えられて裏表紙部材２０と連結される裏板部３１ｃと、表板部３１ａと裏板部３１ｃとを連結する連結板部３１ｂとによって形成されている。また、その長手方向の両端には、保護板３３が取り付けられている（図２参照）。
【００５２】
背表紙本体３１を構成する材料もまた、抜け止め部材６を構成する材料と同じく、比較的強度の高い木材によって形成されている。このように、背表紙本体３１もまた高強度木材によって形成されているため、特にアルバム１００を長期保存したい場合に適している。
【００５３】
表板部３１ａには、溝部４が形成されており、さらに溝部４の下方（底面部４ｃ）には、連綴部材５を挿通するための挿通孔４ａが形成されている。なお、隣り合う挿通孔４ａの間隔は、４ｃｍ程度とすると好ましい。表表紙１側に備えられた挿通孔４ａを介して、連綴部材５を裏板部３１ｃ（裏表紙２）までをアルバム１００の厚み方向に貫通させることができる。
【００５４】
連綴部材５を挿通孔４ａに挿入するため、溝部４の開口部４ｂの幅は、少なくとも挿通孔４ａの幅（直径）よりも大きく形成されている。そして、開口部４ｂの幅と比較して、底面部４ｃの幅が若干大きくなるように形成されている。すなわち、開口部４ｂは、底面部４ｃと比較して、幅狭に形成されており、溝部４は、底面部４ｃから開口部４ｂにかけて、次第に幅が狭くなるように形成されている。なお、本実施形態において、溝部４の側面は、平面状のものを図示しているが、開口部４ｂの幅が、底面部４ｃよりも狭い構成であれば、溝部４の側面は曲面形状であってもよい。
このように、底面部４ｃと比較して、開口部４ｂを幅狭に形成することにより、抜け止め部材６が溝部４内にあるとき、脱離しにくくすることができる。なお、抜け止め部材６を溝部４に取り付ける手順については、後で詳述する。
【００５５】
断面視で略台形状に形成された溝部４は、上述のように、その内部に抜け止め部材６が嵌着される。
このとき、抜け止め部材６が溝部４から突出しないよう、抜け止め部材６の上面６ａ及び底面６ｅは平面状に形成されている。そして、上面６ａは、表表紙１の表面、すなわち、表皮材１２及び背表紙部材３０の表皮材３２の表面と面一となるように（連続した平面となるように）嵌着される。この構成により、抜け止め部材６を目立たせることなく、外観の良好なアルバム１００とすることができると同時に、抜け止め部材６が溝部４から脱落するのを防止することができる。
【００５６】
一方、抜け止め部材６の底面６ｅは、挿通孔４ａに挿入された連綴部材５の上面５ａに当接するようにして、抜け止め部材６が溝部４内に嵌着される。したがって、底面６ｅの幅は、連綴部材５を押し止めやすくするため、連綴部材５の上面５ａよりも広く形成されていると好ましい。
また、抜け止め部材６の底面６ｅは、上面６ａと比較して、幅広に形成されている。この構成により、抜け止め部材６が溝部４から抜けにくくなり、抜け止め部材６が溝部４内に保持される。
【００５７】
抜け止め部材６は、図３に示すように、一方の側面６ｃが略円弧状にくびれて形成されている。また、他方の側面６ｄは膨出するように形成されている。特に、膨出するように形成された側面６ｄは、表表紙部材１０が連結された側に向けて配設される。一方、円弧状にくびれるように（凹むように）形成された側面６ｄは、表表紙部材１０が連結された側とは反対側（背表紙本体３１の連結板部３１ｂが配設された側）に備えられる。
【００５８】
以下、図４を参照して、抜け止め部材６の取り付けるための構成について説明する。なお、図４は、簡略化のため、シート状体３を省略して図示している。
背表紙本体３１に形成された表板部３１ａに形成された溝部４の側面は、それぞれ、表皮材１２，３２によって覆われている。したがって、溝部４の開口部４ｂ及び溝部４の内側側面は、所定の大きさの力で押圧することにより、撓んで変形することができる。
このように、表皮材１２，３２を撓ませて変形させることにより、抜け止め部材６において膨出するように形成された側面６ｄを溝部４内に挿入することができる。
【００５９】
抜け止め部材６は、底面６ｅを溝部４の底面部４ｃ側（下方）に向けて、底面６ｅの幅方向の一端側（くびれて形成された側面６ｃ側）が他端側と比較してより下方に向けて抜け止め部材６が仮置きされる。その後、上面６ａの幅方向の一端側（膨出するように形成された側面６ｄ側）を上方から押圧することにより、抜け止め部材６が溝部４の内部に嵌着される。
【００６０】
このとき、抜け止め部材６は、図４に示すように、その幅方向を径方向として回転するように嵌着される。すなわち、抜け止め部材６は、底面６ｅの一端側（くびれて形成された側面６ｃ側）を中心として回転するように溝部４内に嵌着される。
上記構成とすることにより、抜け止め部材６を適当な強度で溝部４内に嵌着することができる。
【００６１】
一方、抜け止め部材６を取り外す際は、取り付ける際とは反対方向に抜け止め部材６が回転するようにして取り外すことができる。このとき、上述した抜け止め部材６に備えられた凹部６ｂ（図２参照）に適当な太さの棒状の治具を差し込むことにより、取り外し作業を容易にすることができる。
【００６２】
そして、表表紙１から裏表紙２まで挿通された連綴部材５を取り外す場合、表表紙１側に配設された抜け止め部材６だけでなく、裏表紙２側に配設された抜け止め部材６’を上記のように取り外す。その後、棒状の治具を用いて表表紙１側（または裏表紙２側）から、連綴部材５の上面５ａ（または下面５ｂ）を押すことにより、連綴部材５を裏表紙２（または表表紙１）側から取り出すことができる。
【００６３】
したがって、抜け止め部材６，６’を任意に着脱可能とし、連綴部材５をシート状体３に挿通させて連綴する構成を備えることにより、アルバム１００に挟持されるシート状体３を何回でも任意で追加、削除することが可能となる。また、上記構成により、本の装丁に類似したアルバム１００とすることができるため、高級感のある外観を呈することができる。さらに、上記構成のアルバム１００は、シート状体３の連綴作業時、貼着作業を行うことなく写真や絵画等のシート状体を綴じ込むことができるため、粘着剤の劣化等により品質が低下することがない。したがって、アルバム１００は、外観上の高級感を備えると共に、長期間にわたって良好な状態で保存することができる。
【符号の説明】
【００６４】
１  表表紙
２  裏表紙
３  シート状体
４  溝部
４ａ  挿通孔
４ｂ  開口部
４ｃ  底面部
５  連綴部材
５ａ  上面
５ｂ  下面
６，６’  抜け止め部材
６ａ  上面
６ｂ  凹部
６ｃ，６ｄ  側面
６ｅ  底面
１０  表表紙部材
１２  表皮材
２０  裏表紙部材
２２  表皮材
３０  背表紙部材
３０ａ  凹溝
３１  背表紙本体
３１ａ  表板部
３１ｂ  連結板部
３１ｃ  裏板部
３２  表皮材
３３  保護板
３４  補強布
１００  アルバム
【図１】
0003172199.tif 000003
【図２】
0003172199.tif 000004
【図３】
0003172199.tif 000005
【図４】
0003172199.tif 000006